(57)【要約】【課題】使い勝手を向上する。【解決手段】本発明は、ユーザ操作に応じて任意のランドマークＬＭに対してユーザレートを設定すると共に、ユーザ操作に応じ、ユーザレートが設定されたランドマークＬＭの中からユーザ所望のレートのランドマークＬＭを抽出し、この抽出したランドマークＬＭのみを配置した地図画面ＧＡをＬＣＤ２４へ表示するようにしたことにより、全てのランドマークＬＭ（ＬＭ１、ＬＭ２、ＬＭ３・・・ＬＭ１７）を配置して地図画面ＧＡを煩雑にすることなく、ユーザ所望のユーザレートのランドマークＬＭのみを抽出して確実にユーザへ提供することができ、その結果として、ＬＣＤ２４へ表示する地図画面ＧＡをユーザに目視確認させ易くすることができ、かくして使い勝手を向上し得る。【選択図】図６
2008281487.tif 000002
【特許請求の範囲】
【請求項１】
ユーザによって選択された評価値を位置情報に対応付けて設定することにより、第１の評価値付位置情報を生成する評価設定手段と、
上記第１の評価値付位置情報のうち、ユーザ所望の上記評価値に対応した当該第１の評価値付位置情報を抽出する位置情報抽出手段と、
上記位置情報抽出手段により抽出された上記第１の評価値付位置情報を反映した評価値付位置情報画面を表示手段に表示する表示制御手段と
を具えることを特徴とするナビゲーション装置。
【請求項２】
上記評価設定手段は、
上記位置情報に予め設定された複数の項目それぞれに対して項目別評価値を設定して上記第１の評価値付位置情報を生成し、
上記位置情報抽出手段は、
上記第１の評価値付位置情報のうち、ユーザ所望の上記項目別評に対応した当該第１の評価値付位置情報を抽出する
ことを特徴とする請求項１に記載のナビゲーション装置。
【請求項３】
上記位置情報抽出手段は、
上記第１の評価値付位置情報のうち、ユーザ所望の複数の上記項目別評価値に対応した当該第１の評価値付位置情報を抽出する
ことを特徴とする請求項２に記載のナビゲーション装置。
【請求項４】
上記評価設定手段により上記第１の評価値付位置情報に設定された複数の上記項目別評価値に応じて、当該第１の評価値付位置情報の総合評価値を算出する総合評価算出手段と
を具え、
上記位置情報抽出手段は、
上記総合評価算出手段により上記総合評価値が算出された上記第１の評価値付位置情報のうち、ユーザ所望の上記総合評価値に対応する当該第１の評価値付位置情報を抽出する
ことを特徴とする請求項２に記載のナビゲーション装置。
【請求項５】
複数のユーザによって選択された上記評価値の平均値が設定された第２の評価値付位置情報を外部から取得する取得手段と
を具え、
上記位置情報抽出手段は、
上記第２の評価値付位置情報のうちユーザ所望の上記評価値の当該第２の評価値付位置情報を抽出する
ことを特徴とする請求項１に記載のナビゲーション装置。
【請求項６】
上記第２の評価値付位置情報は、ＲＳＳ（Rich Site Summary）の中にＸＭＬ（Extensible Markup Language）形式で記述されている
ことを特徴とする請求項５に記載のナビゲーション装置。
【請求項７】
目的地までの到達経路を算出する到達経路算出手段と
を具え、
上記位置情報抽出手段は、
上記第１の評価値付位置情報のうち、ユーザ所望の上記評価値で、且つ上記到達経路の近辺に存在する当該第１の評価値付位置情報を抽出する
ことを特徴とする請求項１に記載のナビゲーション装置。
【請求項８】
ユーザによって選択された評価値を、評価設定手段によって位置情報に対応付けて設定することにより、第１の評価値付位置情報を生成する評価設定ステップと、
上記第１の評価値付位置情報のうち、ユーザ所望の上記評価値に対応した当該第１の評価値付位置情報を位置情報抽出手段により抽出する位置情報抽出ステップと、
上記位置情報抽出手段により抽出された上記第１の評価値付位置情報を反映した評価値付位置情報画面を表示制御手段により表示手段に表示する表示制御ステップと
を具えることを特徴とする評価値設定方法。
【発明の詳細な説明】
【技術分野】
【０００１】
本発明はナビゲーション装置及び評価値設定方法に関し、例えばＰＮＤ（Personal Navigation Device）と呼ばれる携帯型のナビゲーション装置（以下、これをポータブルＮＶ装置と呼ぶ）に適用して好適なものである。
【背景技術】
【０００２】
従来、ポータブルＮＶ装置には、例えば、レストランや行楽施設といった、メーカ側が予め用意した位置情報としてのＰＯＩ（Point of Interest）が地図データに対応付けて内蔵メモリに登録されている。
【０００３】
このポータブルＮＶ装置においては、例えば図１に示すように、地図データに基づく地図画面Ｇをモニターへ表示するとき、この地図画面Ｇ上に、ＰＯＩに対応した多数のランドマークＲを配置するようになされている（例えば特許文献１参照）。
【特許文献１】特開２００４−６９４３８公報
【発明の開示】
【発明が解決しようとする課題】
【０００４】
ところが、従来のポータブルＮＶ装置では、このポータブルＮＶ装置に登録されるＰＯＩが増えると、地図画面Ｇ上に配置されるランドマークＲが多くなり、地図画面Ｇの表示内容が煩雑になるという問題があった。
【０００５】
また従来のポータブルＮＶ装置では、地図画面Ｇをモニターへ表示したとき、地図画面Ｇが示す範囲のＰＯＩを内蔵メモリから読み出し、このＰＯＩに対応するランドマークＲを地図画面Ｇ上に単に配置しているだけであり、ユーザ所望のＰＯＩに対応したランドマークＲを選別して配置してはいないため、ユーザにとっては必ずしも使い易いとは言い難かった。
【０００６】
本発明は以上の点を考慮してなされたもので、使い勝手を向上し得るナビゲーション装置及び評価値設定方法を提案しようとするものである。
【課題を解決するための手段】
【０００７】
かかる課題を解決するため本発明においては、ナビゲーション装置において、ユーザによって選択された評価値を位置情報に対応付けて設定することにより、第１の評価値付位置情報を生成し、第１の評価値付位置情報のうち、ユーザ所望の評価値に対応した当該第１の評価値付位置情報を抽出し、この抽出した第１の評価値付位置情報を反映した評価値付位置情報画面を表示手段に表示するようにしたことにより、全ての第１の評価値付位置情報を評価値付位置情報画面に反映してこの評価値付位置情報画面を煩雑にすることなく、ユーザ所望の評価値の第１の評価値付位置情報のみを確実にユーザへ提供することができ、その結果として、表示手段に表示する評価値付位置情報画面をユーザに目視確認させ易くすることができる。
【発明の効果】
【０００８】
本発明によれば、ナビゲーション装置において、ユーザによって選択された評価値を位置情報に対応付けて設定することにより、第１の評価値付位置情報を生成し、第１の評価値付位置情報のうち、ユーザ所望の評価値に対応した当該第１の評価値付位置情報を抽出し、この抽出した第１の評価値付位置情報を反映した評価値付位置情報画面を表示手段に表示するようにしたことにより、全ての第１の評価値付位置情報を評価値付位置情報画面に反映してこの評価値付位置情報画面を煩雑にすることなく、ユーザ所望の評価値の第１の評価値付位置情報のみを確実にユーザへ提供することができ、その結果として、表示手段に表示する評価値付位置情報画面をユーザに目視確認させ易くすることができ、かくして、使い勝手を向上し得るナビゲーション装置及び評価値設定方法を実現することができる。
【発明を実施するための最良の形態】
【０００９】
以下、図面について、本発明の一実施の形態を詳述する。
【００１０】
（１）ポータブルＮＶ装置の外観構成
図２及び図３において、１は全体として携帯型で持ち運び可能であり主に車内で用いられるポータブルＮＶ装置を示し、その前面にモニター２が設けられており、内蔵メモリに記憶された地図データに基づく地図画面等をモニター２に対して表示し得るようになされている。
【００１１】
またポータブルＮＶ装置１には、モニター２の右側にＵＳＢ（Universal Serial Bus）コネクタ３が設けられており、図示しないＵＳＢケーブルを接続し得るようになされている。そしてポータブルＮＶ装置１は、ＵＳＢコネクタ３にＵＳＢケーブルが接続され、パーソナルコンピュータ１２に接続されたことを認識すると、ユーザ操作に応じ、内蔵メモリに記憶されているユーザレート付ＰＯＩ（後述する）を、このＵＳＢケーブルを介してパーソナルコンピュータ１２へ転送するようになされている。
【００１２】
このユーザレート付ＰＯＩには、ポータブルＮＶ装置１に予め登録されている任意のＰＯＩに対し、ユーザの評価値としてのユーザレート情報が付加さており、その詳細については後述する。
【００１３】
（２）レート情報の転送
ここでパーソナルコンピュータ１２は、ＵＳＢケーブルを介してポータブルＮＶ装置１に接続されたとき、このポータブルＮＶ装置１から転送されたユーザレート付ＰＯＩを受信する。そしてパーソナルコンピュータ１２は、このユーザレート付ＰＯＩをネットワークＮＴを介して配信サーバ１３へ送信する。
【００１４】
配信サーバ１３は、パーソナルコンピュータ１２や図示しない他のパーソナルコンピュータ（すなわち複数のユーザ）から送信されたユーザレート付ＰＯＩを受信すると、これら複数のユーザから受信したユーザレート付ＰＯＩに付加されているユーザレート情報を集計し、その平均値を口コミレート情報として算出する。そして配信サーバ１３は、このようにして生成した口コミレート情報を、この口コミレート情報に対応したＰＯＩに付加することにより口コミレート付ＰＯＩを生成するようになされている。
【００１５】
配信サーバ１３は、このようにして生成した複数の口コミレート付ＰＯＩを内蔵メモリに予め記憶しており、パーソナルコンピュータ１２や図示しない他のパーソナルコンピュータからユーザレート付ＰＯＩを受信したとき、その時点で内蔵メモリに記憶している複数の口コミレート付ＰＯＩを、パーソナルコンピュータ１２や図示しない他のパーソナルコンピュータへ返信（すなわち配信）するようになされている。
【００１６】
パーソナルコンピュータ１２は、配信サーバ１３へユーザレート付ＰＯＩを送信した結果、配信サーバ１３から配信される複数の口コミレート付ＰＯＩを受信すると、この口コミレート付ＰＯＩをＵＳＢケーブルを介してポータブルＮＶ装置１へ転送するようになされている。
【００１７】
このようにしてポータブルＮＶ装置１は、ＵＳＢケーブルを介し、パーソナルコンピュータ１２に対してユーザレート付ＰＯＩを転送するようになされているとともに、このパーソナルコンピュータ１２から転送される複数の口コミレート付ＰＯＩを受信するようになされている。
【００１８】
（３）ポータブルＮＶ装置の回路構成
図４に示すようにポータブルＮＶ装置１は、ＣＰＵ（Central Processing Unit）構成でなる制御部２０が全体を統括制御すると共に、不揮発性メモリ２１に格納された基本プログラムやアプリケーションプログラムを読み出してＲＡＭ（Random Access Memory）２２上で実行することにより、通常のナビゲーション機能、後述するレート設定機能及びレート別表示機能などを実現するようになされている。
【００１９】
このポータブルＮＶ装置１の不揮発性メモリ２１には、全国の地図データが記憶されている。また不揮発性メモリ２１には、地図データが示す地図上の位置に対応付けてＰＯＩが予め登録されている。
【００２０】
またポータブルＮＶ装置１のＧＰＳ（Global Positioning System）ユニット２３は、ＧＰＳ衛星からの電波を受信することにより、緯度、経度及び高度等からなるＧＰＳ情報を常に算出するようになされており、その結果得られたＧＰＳ情報を制御部２０へ送出する。
【００２１】
制御部２０は、ＧＰＳユニット２３から与えられるＧＰＳ情報と不揮発性メモリ２１に記憶されている地図データとを比較することにより、ポータブルＮＶ装置１の現在位置（すなわち、ポータブルＮＶ装置１が搭載された車が存在する自車位置）を含む所定範囲の地図を示す地図データを不揮発性メモリ２１から読み出し、図５に示すように、その地図データに基づく地図画面ＧＡをモニター２のＬＣＤ（Liquid Crystal Display）２４に表示すると共に、この地図画面ＧＡが示す範囲のＰＯＩに対応したランドマークＬＭ（この場合、ＬＭ１、ＬＭ２、ＬＭ３・・・ＬＭ１７）を地図画面ＧＡ上の対応する位置に配置するようになされている。
【００２２】
そして制御部２０は、モニター２のＬＣＤ２４の表面に設けられたタッチパネル２５に対するユーザ操作に応じ、目的地としていずれかのランドマークＬＭ（ＰＯＩ）が任意に選択された場合（以下、このようにして選択されたＰＯＩを、目的地ＰＯＩと呼ぶ）、自車位置から、この目的地ＰＯＩに対応した目的地までの到達経路や到達予想時刻等を算出し、これら到達経路や到達予想時刻等を配置した地図画面ＧＡをＬＣＤ２４に対して表示するようになされている。
【００２３】
このとき制御部２０は、音声処理部２６を制御することにより、ユーザの運転する車が到達経路に従って目的地まで走行する間、車の運転を誘導及び補助（以下、これらをまとめてナビゲートと呼ぶ）するための音声情報を生成し、その音声情報に基づくナビゲート音声をスピーカ２７から出力する。
【００２４】
このようにしてポータブルＮＶ装置１は、ユーザ所望の目的地まで車をナビゲートするナビゲーション機能を提供し得るようになされている。
【００２５】
（４）レート設定機能
次に、ポータブルＮＶ装置１に予め登録されているＰＯＩに対し、ユーザがレートを設定するためのレート設定機能について詳述する。
【００２６】
まず、ポータブルＮＶ装置１の制御部２０は、上述したナビゲーション機能の実行時、複数のランドマークＬＭ（ＬＭ１、ＬＭ２、ＬＭ３・・・ＬＭ１７）を配置した地図画面ＧＡ（図５）をＬＣＤ２４に表示した状態で、タッチパネル２５に対するユーザ操作に応じて任意のランドマークＬＭ（この場合、例えばＬＭ１とする）が選択されたことを認識すると、図６に示すように、このランドマークＬＭ１の情報を示す第１のランドマーク画面ＬＧ１をＬＣＤ２４へ表示する。
【００２７】
制御部２０は、第１のランドマーク画面ＬＧ１の上部に対してランドマーク説明枠ＤＡを表示すると共に、第１のランドマーク画面ＬＧ１の下部に対してユーザレート設定枠Ｙを表示するようになされている。
【００２８】
制御部２０は、ランドマーク説明枠ＤＡの上部に、ランドマークＬＭ（この場合ＬＭ１）に対応したランドマーク名称ＬＮを表示し、そのランドマーク名称ＬＮの下に、ランドマークＬＭ（この場合、例えば和食専門料理店とする）のジャンルや定休日、営業時間といった情報（以下、これをランドマーク情報と呼ぶ）ＬＩを示す。このようにして制御部２０は、タッチパネル２５に対するユーザ操作に応じて選択されたランドマークＬＭ１のランドマーク名称ＬＮ及びランドマーク情報ＬＩをユーザに対して目視確認させるようになされている。
【００２９】
これに加え、第１のランドマーク画面ＬＧ１のユーザレート設定枠Ｙは、例えば、総合レート設定欄ＨＡ、味レート設定欄ＨＴ、価格レート設定欄ＨＣ、接客レート設定欄ＨＳ及び雰囲気レート設定欄ＨＭの各項目から形成されており、制御部２０は、タッチパネル２５に対するユーザ操作に応じ、味レート設定欄ＨＴ、価格レート設定欄ＨＣ、接客レート設定欄ＨＳ及び雰囲気レート設定欄ＨＭにおけるユーザレート（この場合、味レート、価格レート、接客レート及び雰囲気レート）を５段階に設定し得るようになされている。
【００３０】
そして制御部２０は、味レート設定欄ＨＴ、価格レート設定欄ＨＣ、接客レート設定欄ＨＳ及び雰囲気レート設定欄ＨＭそれぞれに設定された味レート、価格レート、接客レート及び雰囲気レートを平均化することにより、総合レートを算出して総合レート設定欄ＨＡに表示するようになされている。
【００３１】
具体的に言えば、制御部２０は、タッチパネル２５に対するユーザ操作に応じ、例えば、味レート設定欄ＨＴに対し５段階評価の「４」の味レートとして「☆×４」が設定され、価格レート設定欄ＨＣに対し５段階評価の「３」の価格レートとして「☆×３」が設定され、接客レート設定欄ＨＳに対し５段階評価の「５」の接客レートとして「☆×５」が設定され、雰囲気レート設定欄ＨＭに対し５段階評価の「４」の雰囲気レートとして「☆×４」が設定された場合、「（４＋３＋５＋４）／４」＝「４」のように、総合レート設定欄ＨＡに対して５段階評価の「４」の総合レートとして「☆×４」を算出する。
【００３２】
そして制御部２０は、タッチパネル２５に対するユーザ操作に応じて設定された味レート、価格レート、接客レート及び雰囲気レートと、これら味レート、価格レート、接客レート及び雰囲気レートを平均化することで算出した総合レートとをまとめることにより、ユーザレート情報を生成する。
【００３３】
このようにして制御部２０は、例えば、ユーザが和食専門料理店等の訪問先から得た情報を基に、この訪問先に対応したランドマークＬＭ（すなわちＰＯＩ）に対応付けてユーザレート情報を生成して付加することにより、ユーザレート付ＰＯＩを生成するようになされている。
【００３４】
そして制御部２０は、タッチパネル２５に対するユーザ操作に応じ、ユーザレート付ＰＯＩに対応したランドマークＬＭが選択されたことを認識すると、このランドマークＬＭに対応した第１のランドマーク画面ＬＧ１（図６）をＬＣＤ２４に表示することにより、ユーザレート設定枠Ｙの総合レート設定欄ＨＡ、味レート設定欄ＨＴ、価格レート設定欄ＨＣ、接客レート設定欄ＨＳ及び雰囲気レート設定欄ＨＭに表示したユーザレート情報をユーザに対して目視確認させることができ、その結果として、ランドマーク名称ＬＮ及びランドマーク情報ＬＩのみをユーザに目視確認させる場合に比して、よりユーザに有益な情報を提供することができる。
【００３５】
（５）レート設定処理手順
次に、ポータブルＮＶ装置１の制御部２０が、上述のアプリケーションプログラムに基づいたレート設定機能を用いて、ランドマークＬＭに対してユーザレートを設定してユーザレート付ＰＯＩを生成するまでのレート設定処理手順について、図７のフローチャートを用いて具体的に説明する。
【００３６】
実際上、ポータブルＮＶ装置１の制御部２０は、地図画面ＧＡと、この地図画面ＧＡが示す範囲のＰＯＩに対応したランドマークＬＭ（ＬＭ１、ＬＭ２、ＬＭ３・・・ＬＭ１７）とをＬＣＤ２４に対して表示した状態で、ルーチンＲＴ１の開始ステップから入ってステップＳＰ１へ移り、任意のランドマークＬＭがユーザによって選択されたか否かを判別する。
【００３７】
このステップＳＰ１において肯定結果が得られると、このことは、タッチパネル２５に対するユーザ操作に応じ、地図画面ＧＡ上の任意のランドマークＬＭが選択されたことを表しており、このとき制御部２０は、次のステップＳＰ２へ移る。
【００３８】
これに対してステップＳＰ１において否定結果が得られると、このことは地図画面ＧＡ上のいずれのランドマークＬＭも未だ選択されていないことを表しており、このとき制御部２０は、いずれかのランドマークＬＭが選択されるまで待ち受ける。
【００３９】
ステップＳＰ２において制御部２０は、ステップＳＰ１でユーザにより選択されたランドマークＬＭに対応した第１のランドマーク画面ＬＧ１をＬＣＤ２４に表示し、次のステップＳＰ３へ移る。
【００４０】
ステップＳＰ３において制御部２０は、ユーザによってユーザレートが設定されたか否かを判別する。このステップＳＰ３において肯定結果が得られると、このことはタッチパネル２５を介してユーザレート設定枠Ｙの味レート設定欄ＨＴ、価格レート設定欄ＨＣ、接客レート設定欄ＨＳ及び雰囲気レート設定欄ＨＭに対して、ユーザレート（この場合、味レート、価格レート、接客レート及び雰囲気レート）が入力されたことを表しており、このとき制御部２０は、これら味レート、価格レート、接客レート及び雰囲気レートを平均化することにより、総合レートを算出して次のステップＳＰ４へ移る。
【００４１】
ステップＳＰ４において制御部２０は、タッチパネル２５に対するユーザ操作に応じて入力された味レート、価格レート、接客レート及び雰囲気レートと、これら味レート、価格レート、接客レート及び雰囲気レートを平均化することにより算出した総合レートとに基づいてユーザレート情報を生成する。そして制御部２０は、このユーザレート情報をＰＯＩに対応付けて付加することによりユーザレート付ＰＯＩを生成し、次のステップＳＰ５へ移って処理を終了する。
【００４２】
これに対してステップＳＰ３において否定結果が得られると、このことは、ユーザによってランドマークＬＭのランドマーク名称ＬＮやランドマーク情報ＬＩ、ユーザレート情報が目視確認されただけで、ユーザレート設定枠Ｙの味レート設定欄ＨＴ、価格レート設定欄ＨＣ、接客レート設定欄ＨＳ及び雰囲気レート設定欄ＨＭに対して、味レート、価格レート、接客レート及び雰囲気レートが入力されなかったことを表しており、このとき制御部２０は、ステップＳＰ５へ移って処理を終了する。
【００４３】
このようにしてポータブルＮＶ装置１の制御部２０は、任意のランドマークＬＭ（ＰＯＩ）に対応付けてユーザレート情報を生成して付加することでユーザレート付ＰＯＩを生成するようになされている。
【００４４】
（６）レート別表示機能
次に、ポータブルＮＶ装置１の制御部２０が、上述したユーザレート付ＰＯＩや口コミレート付ＰＯＩに対応したランドマークＬＭを配置した地図画面ＧＡをＬＣＤ２４に表示するレート別表示機能について説明する。
【００４５】
まずポータブルＮＶ装置１の制御部２０は、ＵＳＢコネクタ３にＵＳＢケーブルが接続され、パーソナルコンピュータ１２に接続されたことを認識すると、上述したように、パーソナルコンピュータ１２に対してユーザレート付ＰＯＩを転送するとともに、このパーソナルコンピュータ１２から転送される複数の口コミレート付ＰＯＩを受信する。
【００４６】
この口コミレート付ＰＯＩには、上述したように、１つのＰＯＩに対する複数ユーザからのユーザレート情報の平均値として算出された口コミレート情報が付加されている。
【００４７】
そして制御部２０は、パーソナルコンピュータ１２から取得した複数の口コミレート付ＰＯＩを不揮発性メモリ２１に対して記憶し得るようになされている。
【００４８】
ところで制御部２０は、口コミレート付ＰＯＩを不揮発性メモリ２１に記憶した結果、１つのランドマークＬＭに対し、ユーザレート付ＰＯＩ及び口コミレート付ＰＯＩの両方を不揮発性メモリ２１に記憶する場合がある。
【００４９】
このとき制御部２０は、ランドマークＬＭが示す位置にユーザが訪れた結果として生成したユーザレート付ＰＯＩを、口コミレート付ＰＯＩよりも優先するようになされている（すなわち、ユーザの趣味嗜好をより反映したユーザレート付ＰＯＩを優先するようになされている）。
【００５０】
従って制御部２０は、タッチパネル２５に対するユーザ操作に応じ、ランドマークＬＭが選択されたことを認識したとき、このランドマークＬＭに対応するユーザレート付ＰＯＩ及び口コミレート付ＰＯＩの両方を不揮発性メモリ２１に記憶している場合、又はこのランドマークＬＭに対応するユーザレート付ＰＯＩのみを不揮発性メモリ２１に記憶している場合、ユーザレート付ＰＯＩに基づく第１のランドマーク画面ＬＧ１（図６）をＬＣＤ２４へ表示する。このようにして制御部２０は、ユーザの趣味嗜好をより反映したユーザレート付ＰＯＩのユーザレート情報を確実にユーザに提供することができる。
【００５１】
また制御部２０は、タッチパネル２５に対するユーザ操作に応じ、ランドマークＬＭが選択されたことを認識したとき、このランドマークＬＭに対応した口コミレート付ＰＯＩのみを不揮発性メモリ２１に記憶している場合、図６と同構成の部分に対して同じ符号を付した図８に示すように、口コミレート付ＰＯＩに基づく第２のランドマーク画面ＬＧ２をＬＣＤ２４へ表示する。
【００５２】
制御部２０は、第２のランドマーク画面ＬＧ２の上部に対して上述したランドマーク説明枠ＤＡを表示すると共に、第２のランドマーク画面ＬＧ２の下部に対して口コミレート表示枠Ｋを表示するようになされている。
【００５３】
この口コミレート表示枠Ｋは、総合レート表示欄ＪＡ、味レート表示欄ＪＴ、価格レート表示欄ＪＣ、接客レート表示欄ＪＳ及び雰囲気レート表示欄ＨＭの各項目から形成されており、制御部２０は、これら総合レート表示欄ＪＡ、味レート表示欄ＪＴ、価格レート表示欄ＪＣ、接客レート表示欄ＪＳ及び雰囲気レート表示欄ＪＭに対し、口コミレート付ＰＯＩに付加されている口コミレート情報（すなわち、総合レート、味レート、価格レート、接客レート及び雰囲気レート）を表示するようになされている。
【００５４】
具体的に言えば、制御部２０は、タッチパネル２５に対するユーザ操作に応じてＬＣＤ２４上に第２のランドマーク画面ＬＧ２（図８）を表示したとき、例えば、総合レート表示欄ＪＡに対し５段階評価の「３」の味レートとして「☆×３」を表示し、味レート表示欄ＪＴに対し５段階評価の「２」の味レートとして「☆×２」を表示し、価格レート表示欄ＪＣに対し５段階評価の「５」の価格レートとして「☆×５」を表示し、接客レート表示欄ＨＳに対し５段階評価の「２」の接客レートとして「☆×２」を表示し、雰囲気レート表示欄ＪＭに対し５段階評価の「４」の雰囲気レートとして「☆×４」を表示する。
【００５５】
このようにして制御部２０は、タッチパネル２５に対するユーザ操作に応じてランドマークＬＭが選択されたとき、このランドマークＬＭに対応したユーザレート付ＰＯＩを不揮発性メモリ２１に記憶していない場合（すなわち、このランドマークＬＭが示す位置にユーザが訪れたことが無い場合）、他のユーザの平均的な評価である口コミレート付ＰＯＩの口コミレート情報をユーザに提供することができる。
【００５６】
制御部２０は、上述したナビゲーション機能の実行時、このように不揮発性メモリ２１に対してユーザレート付ＰＯＩや口コミレート付ＰＯＩを記憶した状態で、例えば、総合レートが高いユーザレート付ＰＯＩ及び口コミレート付ＰＯＩに対応したランドマークＬＭを知りたいと要望するユーザのタッチパネル２５に対する操作により、総合レートが「５」のユーザレート付ＰＯＩ及び口コミレート付ＰＯＩに対応したランドマークＬＭのみを抽出して表示するレート別表示命令が入力されたことを認識すると、図９に示すように、地図画面ＧＡ（図５）上の複数のランドマークＬＭ（ＬＭ１、ＬＭ２、ＬＭ３・・・ＬＭ１７）のうち、総合レートに対して「５」が設定されているユーザレート付ＰＯＩ及び口コミレート付ＰＯＩに対応したランドマークＬＭ（この場合、ＬＭ３、ＬＭ５、ＬＭ１４及びＬＭ１５とする）のみを配置した地図画面ＧＡをＬＣＤ２４へ表示する。
【００５７】
このとき制御部２０は、地図画面ＧＡの右上にレート通知欄ＨＷを表示することにより、現時点で地図画面ＧＡ上に配置しているランドマークＬＭ（この場合、ＬＭ３、ＬＭ５、ＬＭ１４及びＬＭ１５）が、何のレートに基づいて配置しているのかをユーザへ通知するようになされている（この場合は、総合レートが「５」のランドマークＬＭを配置していることを示している）。
【００５８】
このように制御部２０は、総合レートが高いランドマークＬＭを知りたいと要望するユーザに対し、総合レートが「５」のランドマークＬＭ（ＬＭ３、ＬＭ５、ＬＭ１４及びＬＭ１５）のみを地図画面ＧＡ上へ配置して目視確認させるようにしたことにより、全てのランドマークＬＭ（ＬＭ１、ＬＭ２、ＬＭ３・・・ＬＭ１７）を配置して地図画面ＧＡを煩雑にすることなく、総合レートが「５」のランドマークＬＭ（ＬＭ３、ＬＭ５、ＬＭ１４及びＬＭ１５）を確実にユーザへ提供することができ、その結果として、ＬＣＤ２４へ表示する地図画面ＧＡをユーザに目視確認させ易くし得るようになされている。
【００５９】
また制御部２０は、例えば、総合レートが「５」のユーザレート付ＰＯＩ及び口コミレート付ＰＯＩに対応したランドマークＬＭを配置した地図画面ＧＡを表示したものの、この地図画面ＧＡ上のランドマークＬＭが期待していたよりも少なくて必要な情報が得られなかったユーザのタッチパネル２５に対する操作により、総合レートに対して「４」以上（すなわち「４」及び「５」）が設定されているユーザレート付ＰＯＩ及び口コミレート付ＰＯＩに対応したランドマークＬＭのみを抽出して表示するレート別表示命令が入力されたことを認識すると、図１０に示すように、地図画面ＧＡ（図５）上の複数のランドマークＬＭ（ＬＭ１、ＬＭ２、ＬＭ３・・・ＬＭ１７）のうち、総合レートに対して「４」及び「５」が設定されているユーザレート付ＰＯＩ及び口コミレート付ＰＯＩに対応したランドマークＬＭ（この場合、ＬＭ１、ＬＭ３、ＬＭ５、ＬＭ９、ＬＭ１３、ＬＭ１４及びＬＭ１５とする）のみを配置した地図画面ＧＡをＬＣＤ２４へ表示する。
【００６０】
このように制御部２０は、総合レートが「５」のユーザレート付ＰＯＩ及び口コミレート付ＰＯＩに対応したランドマークＬＭを地図画面ＧＡ上へ配置したものの、地図画面ＧＡ上のランドマークＬＭが期待していたよりも少なくて必要な情報が得られなかったユーザに対し、総合レート「５」の次にレートが高い総合レート「４」のランドマークＬＭ（ＬＭ１、ＬＭ９及びＬＭ１３）も合わせて地図画面ＧＡ上へ配置することができ、総合レートが低い他のランドマークＬＭを無駄に配置して地図画面ＧＡを煩雑にすることなく、ユーザの要望に合ったランドマークＬＭのみを地図画面ＧＡ上に配置し得るようになされている。
【００６１】
一方、制御部２０は、例えば、価格や雰囲気によらず、美味しい料理を食べたいと要望するユーザのタッチパネル２５に対する操作により、味レートが「５」のユーザレート付ＰＯＩ及び口コミレート付ＰＯＩに対応したランドマークＬＭのみを抽出して表示するレート別表示命令が入力されたことを認識すると、図１１に示すように、地図画面ＧＡ（図５）上の複数のランドマークＬＭ（ＬＭ１、ＬＭ２、ＬＭ３・・・ＬＭ１７）のうち、味レートに対して「５」が設定されているユーザレート付ＰＯＩ及び口コミレート付ＰＯＩに対応したランドマークＬＭ（この場合、ＬＭ３、ＬＭ５、ＬＭ６、ＬＭ１０、ＬＭ１４、ＬＭ１５及びＬＭ１６とする）のみを配置した地図画面ＧＡをＬＣＤ２４へ表示する。
【００６２】
このように制御部２０は、ユーザの状況に応じた要望に対し、総合レートだけでなく他のレート（この場合、味レート、価格レート、接客レート及び雰囲気レート等）に応じてランドマークＬＭを抽出して地図画面ＧＡ上へ配置することができ、ユーザの細かい要望に応じて情報を提供することができる。
【００６３】
また制御部２０は、例えば、恋人とのデート中で、美味しい料理が食べられて且つ雰囲気の良い店を知りたいと要望するユーザのタッチパネル２５に対する操作により、味レートと雰囲気レートとの２つのレートの平均値で成る複合平均レートが「４」以上のユーザレート付ＰＯＩ及び口コミレート付ＰＯＩに対応したランドマークＬＭのみを抽出して表示するレート別表示命令が入力されたことを認識すると、図１２に示すように、地図画面ＧＡ（図５）上の複数のランドマークＬＭ（ＬＭ１、ＬＭ２、ＬＭ３・・・ＬＭ１７）のうち、味レートと雰囲気レートの平均値でなる複合平均レートが「４」以上のユーザレート付ＰＯＩ及び口コミレート付ＰＯＩに対応したランドマークＬＭ（この場合、ＬＭ１、ＬＭ３、ＬＭ５、ＬＭ６、ＬＭ８、ＬＭ９、ＬＭ１２、ＬＭ１４、ＬＭ１５及びＬＭ１７とする）のみを配置した地図画面ＧＡをＬＣＤ２４へ表示する。
【００６４】
このように制御部２０は、ユーザの状況に応じた要望に対し、総合レートやこの総合レートを算出するための各レート（この場合、味レート、価格レート、接客レート及び雰囲気レート等）だけでなく、各レートの一部を組み合わせて平均化した複合平均レートに応じてランドマークＬＭを抽出して地図画面ＧＡ上へ表示することができ、さらにユーザの細かい要望に応じて使い勝手を一層向上することができる。
【００６５】
このようにしてポータブルＮＶ装置１の制御部２０は、複数のランドマークＬＭ（ＬＭ１、ＬＭ２、ＬＭ３・・・ＬＭ１７）のうち、ユーザ所望のレートに対応したランドマークＬＭを抽出し、このランドマークＬＭを配置した地図画面ＧＡをＬＣＤ２４へ表示するようにしたことにより、全てのランドマークＬＭ（ＬＭ１、ＬＭ２、ＬＭ３・・・ＬＭ１７）を配置して地図画面ＧＡを煩雑にすることなく、ユーザ所望のレートのランドマークＬＭのみを抽出して確実にユーザへ提供することができ、その結果として、ＬＣＤ２４へ表示する地図画面ＧＡをユーザに目視確認させ易くすることができ、かくして、使い勝手を向上し得るようになされている。
【００６６】
またこの場合、制御部２０は、複数のランドマークＬＭ（ＬＭ１、ＬＭ２、ＬＭ３・・・ＬＭ１７）のうち、ユーザ所望のレートに対応したランドマークＬＭを抽出していることにより、ユーザの要望に合った最適なランドマークＬＭのみを高確率で提供することができ、その点においても使い勝手を向上し得るようになされている。
【００６７】
（７）レート別表示処理手順
次に、ポータブルＮＶ装置１の制御部２０が、上述のアプリケーションプログラムに基づいたレート別表示機能を用い、ユーザ所望のレートに対応したランドマークＬＭを抽出して地図画面ＧＡ上に配置し、この地図画面ＧＡをＬＣＤ２４に表示するまでのレート別表示処理手順について、図１３のフローチャートを用いて具体的に説明する。
【００６８】
実際上、ポータブルＮＶ装置１の制御部２０は、ルーチンＲＴ２の開始ステップから入ってステップＳＰ１１へ移り、所定のレートに対応したランドマークＬＭを抽出して表示するレート別表示命令が、タッチパネル２５を介して入力されたか否かを判別する。
【００６９】
このステップＳＰ１１において肯定結果が得られると、このことは、所定のレートに対応したランドマークＬＭを抽出して表示することをユーザが要望していることを表しており、このとき制御部２０は、次のステップＳＰ１２へ移る。
【００７０】
これに対してステップＳＰ１１において否定結果が得られると、このことは、所定のレートに対応したランドマークＬＭを抽出して表示することをユーザが未だ要望していないことを表しており、このとき制御部２０はレート別表示命令が入力されるまで待ち受ける。
【００７１】
ステップＳＰ１２において制御部２０は、レート別表示命令に対応したレートのランドマークＬＭを抽出し、次のステップＳＰ１３へ移る。
【００７２】
ステップＳＰ１３において制御部２０は、レート別表示命令に応じて抽出したランドマークＬＭを配置した地図画面ＧＡをＬＣＤ２４に表示して次のステップＳＰ１４へ移って処理を終了する。
【００７３】
このようにしてポータブルＮＶ装置１の制御部２０は、レート別表示命令に応じたレートのランドマークＬＭを抽出して地図画面ＧＡ上へ配置するようになされている。
【００７４】
（８）動作及び効果
以上の構成においてポータブルＮＶ装置１の制御部２０は、ユーザ操作に応じて任意のランドマークＬＭに対してユーザレートを設定する。そして制御部２０は、ユーザ操作に応じ、ユーザレートが設定されたランドマークＬＭの中からユーザ所望のユーザレートのランドマークＬＭを抽出し、この抽出したランドマークＬＭのみを配置した地図画面ＧＡをＬＣＤ２４へ表示する。
【００７５】
このように制御部２０は、不揮発性メモリ２１に登録されているランドマークＬＭ（ＬＭ１、ＬＭ２、ＬＭ３・・・ＬＭ１７）の中からユーザ所望のレートのランドマークＬＭのみを抽出して確実にユーザへ提供することができ、ＬＣＤ２４へ表示する地図画面ＧＡを煩雑にすることを回避してユーザに目視確認させ易くすることができる。
【００７６】
以上の構成によれば、ポータブルＮＶ装置１の制御部２０は、ユーザ操作に応じて任意のランドマークＬＭに対してユーザレートを設定すると共に、ユーザ操作に応じ、ユーザレートが設定されたランドマークＬＭの中からユーザ所望のユーザレートのランドマークＬＭを抽出し、この抽出したランドマークＬＭのみを配置した地図画面ＧＡをＬＣＤ２４へ表示するようにしたことにより、全てのランドマークＬＭ（ＬＭ１、ＬＭ２、ＬＭ３・・・ＬＭ１７）を配置して地図画面ＧＡを煩雑にすることなく、ユーザ所望のユーザレートのランドマークＬＭのみを抽出して確実にユーザへ提供することができ、その結果として、ＬＣＤ２４へ表示する地図画面ＧＡをユーザに目視確認させ易くすることができ、かくして使い勝手を向上し得る。
【００７７】
（９）他の実施の形態
なお上述した実施の形態においては、ポータブルＮＶ装置１は、通常の地図画面ＧＡ上に対して各レートに応じたランドマークＬＭを配置するようにした場合について述べたが、本発明はこれに限らず、上述したナビゲーション機能の実行時、目的地ＰＯＩに対応した目的地までの到達経路や到達予想時刻等を算出し、この到達経路や到達予想時刻等を含んだ地図画面ＧＡ上に対し、各レートに応じたランドマークＬＭを配置するようにしても良い。
【００７８】
具体的には、ポータブルＮＶ装置１は、図１４に示すように、自車位置ＳＰから目的地ＧＰまでの到達経路ＴＲと到達予想時刻ＴＴとを地図画面ＧＡ上に配置するとき、例えば、到達経路ＴＲ近辺における総合レートが高いランドマークＬＭを知りたいと要望するユーザのタッチパネル２５に対する操作により、総合レートが「５」のユーザレート付ＰＯＩ及び口コミレート付ＰＯＩに対応したランドマークＬＭのみを抽出して表示するレート別表示命令が入力されたことを認識すると、この到達経路ＴＲの近辺で総合レートが「５」のランドマークＬＭ（この場合、ＬＭ１８、ＬＭ１９、ＬＭ２０、ＬＭ２１及びＬＭ２２）を地図画面ＧＡ上に配置する。
【００７９】
これによりポータブルＮＶ装置１は、自車位置ＳＰから目的地ＧＰまでの到達経路ＴＲの近辺にあるランドマークＬＭの中で、総合レート「５」のランドマークＬＭ（ＬＭ１８、ＬＭ１９、ＬＭ２０、ＬＭ２１及びＬＭ２２）のみを選択的に地図画面ＧＡ上に配置してユーザに目視確認させることができ、さらに使い勝手を向上することができる。
【００８０】
またこの場合、ポータブルＮＶ装置１は、例えば、現時刻から到達予想時刻ＴＴまでの間に、例えば「11：30〜13:00」の昼食時間や「18:00〜19：30」の夕食時間といった予め設定された食事時間が含まれている場合には、図１５に示すように、この食事時間を示す食事時間エリアＳＡを地図画面ＧＡの到達経路に重ねるように配置しても良い。そしてポータブルＮＶ装置１は、この食事時間エリアＳＡ内のランドマークＬＭ（この場合、ＬＭ１８、ＬＭ１９及びＬＭ２０）のランドマーク名称ＬＮ（図６及び図８）のリストを地図画面ＧＡの左上部のリスト表示欄ＬＷに表示するようにしても良い。
【００８１】
これによりポータブルＮＶ装置１は、自車位置ＳＰから目的地ＧＰまでの到達経路ＴＲの近辺のランドマークＬＭをレートに応じて抽出して単にユーザに提供するだけでなく、食事時間の間に訪問可能なランドマークＬＭをさらに絞り込んで分かり易くユーザに提供することができ、その分だけ使い勝手を向上することができる。
【００８２】
さらにこの場合、ポータブルＮＶ装置１は、食事時間だけでなく、例えば、デートするのに都合の良い「17:00〜18：30」のデートスポット時間や、映画や遊園地で遊ぶのに都合の良い「13:00〜17：00」のレジャー時間を予め設定しておいて、これらデートスポット時間やレジャー時間の間に訪問可能なランドマークＬＭをさらに絞り込んでユーザに提供するようにしても良い。
【００８３】
また上述した実施の形態においては、ユーザレート付ＰＯＩのユーザレート情報や口コミレート付ＰＯＩの口コミレート情報の各項目として、総合レート、味レート、価格レート、接客レート及び雰囲気レートの５つを適用するようにした場合について述べたが、本発明はこれに限らず、ユーザレート位置情報及び口コミレート情報の各項目の個数や種類は何であっても良いし、それらを単独で適用しても任意に複数組み合わせて適用しても良い。具体的に言えば、例えば遊園地や映画館といった行楽施設に対応したユーザレート付ＰＯＩや口コミレート付ＰＯＩの場合であれば、ポータブルＮＶ装置１は、これらユーザレート付ＰＯＩのユーザレート情報や口コミレート付ＰＯＩの口コミレート情報の各項目として、アクセスのし易さを示すアクセスレートや、駐車場の有無や単位時間あたりの料金を示す駐車場レート、楽しさを示す楽しさレート、といった項目を別途適用するようにしても良い。
【００８４】
さらに上述した実施の形態においては、ポータブルＮＶ装置１は、ユーザレート位置情報及び口コミレート位置情報の各項目（総合レート、味レート、価格レート、接客レート及び雰囲気レート）を５段階の評価で数値化するようにした場合について述べたが、本発明はこれに限らず、評価の段階は何段階であっても良いし、ユーザレート位置情報及び口コミレート情報の項目毎に評価の段階が異なっていても良い。
【００８５】
さらに上述した実施の形態においては、ポータブルＮＶ装置１は、味レート、価格レート、接客レート及び雰囲気レートの４つの平均値から総合レートを算出するようにした場合について述べたが、本発明はこれに限らず、味レート、価格レート、接客レート及び雰囲気レートのうち、ユーザによってレートが設定されているものの平均値から総合レートを算出するようにしても良い。具体的には、ポータブルＮＶ装置１は、味レート、価格レート、接客レート及び雰囲気レートのうち、味レート及び価格レートのみがユーザによって設定されている場合、これら味レート及び価格レートのみの平均値から総合レートを算出するようにしても良く、その後他のレートが設定された場合には、そのレートも含めて総合レートを再算出するようにすれば良い。
【００８６】
さらに上述した実施の形態においては、ポータブルＮＶ装置１は、味レートと雰囲気レートとの２つのレートの平均値で成る複合平均レートに応じてランドマークＬＭを抽出するようにした場合について述べたが、本発明はこれに限らず、複合平均レートを算出するレートの種類及び数は特に限定しない。
【００８７】
さらに上述した実施の形態においては、ポータブルＮＶ装置１は、第２のランドマーク画面ＬＧ２の口コミレート表示枠Ｋに対し、口コミレート付ＰＯＩの口コミレート情報を表示するようにした場合について述べたが、本発明はこれに限らず、ユーザのタッチパネル２５に対する操作により、この口コミレート表示枠Ｋの口コミレート情報をユーザレート情報として再設定してユーザレート付ＰＯＩを新たに生成するようにしても良い。
【００８８】
さらに上述した実施の形態においては、ポータブルＮＶ装置１は、ＰＯＩに対応付けてユーザレート位置情報を生成して付加することによってユーザレート付ＰＯＩを生成するようにした場合について述べたが、本発明はこれに限らず、ＰＯＩに対してユーザレート位置情報を埋め込んだり、ＰＯＩに対応付けてユーザレート位置情報をデータベース化して管理したりしても良い。さらにこの場合、ポータブルＮＶ装置１は、一度生成したユーザレート付ＰＯＩのユーザレート位置情報を修正してユーザレート付ＰＯＩを更新するようにしても良い。
【００８９】
さらに上述した実施の形態においては、ポータブルＮＶ装置１は、口コミレート付ＰＯＩよりもユーザレート付ＰＯＩの優先度を高くするようにした場合について述べたが、本発明はこれに限らず、ユーザレート付ＰＯＩよりも口コミレート付ＰＯＩの優先度を高くするようにしても良いし、不揮発性メモリ２１に記憶する時間を監視するようにして、時系列的に最近に記憶（又は更新）された口コミレート付ＰＯＩまたはユーザレート付ＰＯＩを優先するようにしても良い。
【００９０】
さらにこの場合、ポータブルＮＶ装置１は、ユーザレート付ＰＯＩに対応したランドマークＬＭのみを地図画面ＧＡ上に配置するようにしても良いし、口コミレート付ＰＯＩに対応したランドマークＬＭのみを地図画面ＧＡ上に配置するようにしても良く、地図画面ＧＡ上へランドマークＬＭを配置する方法については、ユーザが適宜選択できるものとする。
【００９１】
さらに上述した実施の形態においては、ポータブルＮＶ装置１は、ＰＯＩに対して口コミレートが付加された口コミレート付ＰＯＩを配信サーバ１３から取得するようにした場合について述べたが、本発明はこれに限らず、ＰＯＩに対応付けた口コミレートがＸＭＬ（Extensible Markup Language）形式で記述されたＲＳＳ（Rich Site Summary）を配信サーバ１３から取得するようにしても良い。またこの場合、ポータブルＮＶ装置１は、パーソナルコンピュータ１２が他の口コミサイト等から取得したＲＳＳに含まれた口コミレートを取得するようにすれば、配信サーバ１３からの配信だけでは取得できない新たなＰＯＩやこのＰＯＩに関する口コミレートを新規に追加することができる。
【００９２】
さらに上述した実施の形態においては、ポータブルＮＶ装置１に対し、地図データやＰＯＩの記憶用に不揮発性メモリ２１を適用するようにした場合について述べたが、本発明はこれに限らず、ハードディスクドライブや光ディスクを用いるようにしても良い。
【００９３】
さらに上述した実施の形態においては、ポータブルＮＶ装置１は、ＵＳＢケーブルでパーソナルコンピュータ１２と接続することにより、配信サーバ１３との間のユーザレート付ＰＯＩ及び口コミレート付ＰＯＩの転送を実行するようにした場合について述べたが、本発明はこれに限らず、ポータブルＮＶ装置１とパーソナルコンピュータ１２とを無線ＬＡＮ（Local Area Network）や有線ＬＡＮ、Ｂｌｕｅｔｏｏｔｈ（The Bluetooth SIG Inc.の登録商標）で接続するようにしても良い。またこの場合、ポータブルＮＶ装置１は、パーソナルコンピュータ１２を介さずに配信サーバ１３から直接取得するようにしても良く、配信サーバ１３との間でユーザレート付ＰＯＩ及び口コミレート付ＰＯＩをの転送を実行する方法は何でも良い。
【００９４】
また、ポータブルＮＶ装置１は、無線ＬＡＮやＢｌｕｅｔｏｏｔｈ（The Bluetooth SIG Inc.の登録商標）を用いる場合、パーキングエリア等のアクセスポイントに直接接続するようにしても良く、そうすることにより、外出先で新たな口コミレート付ＰＯＩを取得することができ、ポータブルＮＶ装置１の使い勝手をより一層向上することができる。
【００９５】
さらに上述した実施の形態においては、位置情報としてＰＯＩを適用するようにした場合について述べたが、本発明はこれに限らず、テキスト形式の緯度経度情報や住所等を適用するようにしても良い。
【００９６】
さらに上述した実施の形態においては、ナビゲーション装置として、図２乃至図１５において上述した、携帯型のポータブルＮＶ装置１（ＰＮＤ）を適用するようにした場合について述べたが、本発明はこれに限らず、据え置き型のカーＮＶ装置や携帯型ゲーム装置、携帯電話等を適用しても良い。
【００９７】
さらに上述した実施の形態においては、ユーザによって選択された評価値を位置情報に対応付けて設定することにより、第１の評価値付位置情報を生成する評価設定手段として、図２乃至図１５において上述した、制御部２０を適用するようにした場合について述べたが、本発明はこれに限らず、ユーザによって選択された評価値を位置情報に対応付けて設定することにより、第１の評価値付位置情報を生成するハードウェア構成の評価設定回路等のように、この他種々の評価設定手段を適用するようにしても良い。
【００９８】
さらに上述した実施の形態においては、第１の評価値付位置情報のうち、ユーザ所望の評価値に対応した当該第１の評価値付位置情報を抽出する位置情報抽出手段として、図２乃至図１５において上述した、制御部２０を適用するようにした場合について述べたが、本発明はこれに限らず、第１の評価値付位置情報のうち、ユーザ所望の評価値に対応した当該第１の評価値付位置情報を抽出するハードウェア構成の位置情報抽出回路のように、この他種々の位置情報抽出手段を適用するようにしても良い。
【００９９】
さらに上述した実施の形態においては、位置情報抽出手段により抽出された第１の評価値付位置情報を反映した評価値付位置情報画面を表示手段に表示する表示制御手段として、図２乃至図１５において上述した、制御部２０を適用するようにした場合について述べたが、本発明はこれに限らず、位置情報抽出手段により抽出された第１の評価値付位置情報を反映した評価値付位置情報画面を表示手段に表示するハードウェア構成の表示制御回路や表示部一体型制御回路等のように、この他種々の表示制御手段を適用するようにしても良い。
【０１００】
さらに上述した実施の形態においては、表示手段として、図２乃至図１５において上述した、モニター２のＬＣＤ２４を適用するようにした場合について述べたが、本発明はこれに限らず、ブラウン管ディスプレイやプラズマディスプレイ等を適用しても良い。
【０１０１】
さらに上述の実施の形態においては、ポータブルＮＶ装置１が不揮発性メモリ２１に記憶されている処理プログラムを起動することにより、上述した通常のナビゲーション機能、レート設定機能及びレート別表示機能などを実現するようにした場合について述べたが、本発明はこれに限らず、記録媒体からインストールした処理プログラムや、インターネットからダウンロードした処理プログラムに従い、通常のナビゲーション機能、レート設定機能及びレート別表示機能などを実現するようにしても良い。
【産業上の利用可能性】
【０１０２】
本発明のナビゲーション装置及び位置登録方法は、例えば車載用のポータブルＮＶ装置のＰＯＩに対してレートを設定する用途に適用することができる。
【図面の簡単な説明】
【０１０３】
【図１】従来のポータブルＮＶ装置における地図画面の表示の様子を示す略線図である。
【図２】本実施の形態におけるポータブルＮＶ装置の外観構成を示す略線図である。
【図３】ポータブルＮＶ装置への情報の転送の様子を示す略線図である。
【図４】本実施の形態におけるポータブルＮＶ装置の回路構成を示す略線図である。
【図５】本実施の形態における地図画面の表示の様子を示す略線図である。
【図６】第１のランドマーク画面の様子を示す略線図である。
【図７】レート設定処理手順を示すフローチャートである。
【図８】第２のランドマーク画面の様子を示す略線図である。
【図９】総合レートによるランドマークの抽出の様子（１）を示す略線図である。
【図１０】総合レートによるランドマークの抽出の様子（２）を示す略線図である。
【図１１】味レートによるランドマークの抽出の様子を示す略線図である。
【図１２】複合平均レートによるランドマークの抽出の様子を示す略線図である。
【図１３】レート別表示処理手順を示すフローチャートである。
【図１４】他の実施の形態における地図画面の表示の様子（１）を示す略線図である。
【図１５】他の実施の形態における地図画面の表示の様子（２）を示す略線図である。
【符号の説明】
【０１０４】
１……ポータブルＮＶ装置、２……モニター、３……ＵＳＢコネクタ、１２……パーソナルコンピュータ、１３……配信サーバ、２０……制御部、２１…不揮発性メモリ、２２……ＲＡＭ、２３……ＧＰＳユニット、２４……ＬＣＤ、２５……タッチパネル、２６……音声処理部、２７……スピーカ、ＬＧ１……第１のランドマーク画面、ＬＧ２……第２のランドマーク画面、ＧＡ……地図画面、ＬＭ１〜ＬＭ１２２……ランドマーク、ＬＮ……ランドマーク名称、ＬＩ……ランドマーク情報。
【図１】
2008281487.tif 000003
【図２】
2008281487.tif 000004
【図３】
2008281487.tif 000005
【図４】
2008281487.tif 000006
【図５】
2008281487.tif 000007
【図６】
2008281487.tif 000008
【図７】
2008281487.tif 000009
【図８】
2008281487.tif 000010
【図９】
2008281487.tif 000011
【図１０】
2008281487.tif 000012
【図１１】
2008281487.tif 000013
【図１２】
2008281487.tif 000014
【図１３】
2008281487.tif 000015
【図１４】
2008281487.tif 000016
【図１５】
2008281487.tif 000017